(57)【要約】【課題】暗所での作業性を向上させた電動工具を提供する。【解決手段】前後方向に延びてモータ４を収容したハウジング２の前端部に、モータ４によって駆動されるスピンドル１７を下向きに突出させて、スピンドル１７の先端に先端工具を連結した電動工具１であって、ハウジング２の前方上側に、光を下向きに照射可能な発光ダイオード（ＬＥＤ）２７を設けた。さらにＬＥＤ２７を、前後方向でハウジング２の前端面２６よりも後方側に配置した。【選択図】図２
2013059820.tif 000002
【特許請求の範囲】
【請求項１】
前後方向に延びてモータを収容したハウジングの前端部に、前記モータによって駆動される出力軸を下向きに突出させて、前記出力軸の先端に先端工具を連結した電動工具であって、
前記ハウジングの前方上側に、光を下向きに照射可能な照明体を設けたことを特徴とする電動工具。
【請求項２】
前記照明体を、前記前後方向で前記ハウジングの前端面よりも後方側に配置したことを特徴とする請求項１に記載の電動工具。
【請求項３】
前記ハウジングの前記前方上側に、前記照明体を上下方向へ回転移動可能な回転操作部を設けたことを特徴とする請求項１又は２に記載の電動工具。
【発明の詳細な説明】
【技術分野】
【０００１】
この発明は、前後方向に延びてモータを収容したハウジングの前端部に、前記モータによって駆動される出力軸を下向きに突出させて、前記出力軸の先端に先端工具を連結した電動工具に関する。
【背景技術】
【０００２】
例えば特許文献１には、前後方向に延びたハウジングの前端部から、先端工具である円盤状の砥石が取り付けられた出力軸を下向きに突出させたグラインダが開示されている。このグラインダはハウジング内に、透明なカバーを通じてハウジングの前方側へ光を照射する発光ダイオード（ＬＥＤ）を備えるもので、暗所ではＬＥＤが放つ光によって、グラインダによる研磨作業をし易くしている。
【先行技術文献】
【特許文献】
【０００３】
【特許文献１】米国特許第７５６８２８８号明細書
【発明の概要】
【発明が解決しようとする課題】
【０００４】
しかしながら上記のグラインダでは、暗所での作業時にＬＥＤに代表される照明体は、ハウジングの前方に光を放つことができても、ハウジングの下方までは十分に光を放つことができないことが考えられるため、ハウジングの下方に位置する砥石等の先端工具に対して光を照射できないおそれがある。その結果、暗所において先端工具による研磨作業等の作業性が低下することが懸念される。
【０００５】
この発明は、このような状況に鑑み提案されたものであって、暗所での作業性を向上させた電動工具を提供することを目的とする。
【課題を解決するための手段】
【０００６】
請求項１の発明に係る電動工具は、前後方向に延びてモータを収容したハウジングの前端部に、前記モータによって駆動される出力軸を下向きに突出させて、前記出力軸の先端に先端工具を連結した電動工具であって、前記ハウジングの前方上側に、光を下向きに照射可能な照明体を設けたことを特徴とする。
【０００７】
請求項２の発明は、請求項１において、前記照明体を、前記前後方向で前記ハウジングの前端面よりも後方側に配置したことを特徴とする。
【０００８】
請求項３の発明は、請求項１又は２において、前記ハウジングの前記前方上側に、前記照明体を上下方向へ回転移動可能な回転操作部を設けたことを特徴とする。
【発明の効果】
【０００９】
請求項１の発明に係る電動工具によれば、照明体によって、出力軸の先端に連結した先端工具に対して光を照射することが可能になる。その結果、暗所においても照明体で照らされた先端工具を視認でき、電動工具による作業性を向上させることができる。
請求項２の発明によれば、例えば先端工具として切断用工具を用いる場合には、切断用工具を、被切断材に対して切り込み限界長さまで使用できる。したがって、照明体は先端工具による被切断材の切断作業の支障にならない。
請求項３の発明によれば、回転操作部で照明体を上下方向の任意の位置に移動させることが可能になる。これに伴って、照明体で任意の方向に光を照射できる。
【図面の簡単な説明】
【００１０】
【図１】本発明の実施形態１の往復動式電動工具の部分側面図である。
【図２】ハウジングの前端部の内部構造を示した実施形態１の往復動式電動工具の側面図である。
【図３】実施形態１の往復動式電動工具の正面図である。
【図４】実施形態２の往復動式電動工具の部分側面図である。
【図５】ハウジングの前端部の内部構造を示した実施形態２の往復動式電動工具の側面図である。
【図６】実施形態２の往復動式電動工具の正面図である。
【図７】図４のＡ−Ａ線断面図である。
【発明を実施するための形態】
【００１１】
＜実施形態１＞
本発明の実施形態１を図１ないし図３を参照しつつ説明する。図１ないし図３に示す往復動式電動工具１は、断面が円形で往復動式電動工具１の前後方向（図１及び図２の左右方向）に延びたハウジング２を備えている。このハウジング２の外周には、ユーザが握るための握り部３（図１参照。）が形成されて、ハウジング２の内部にはモータ４（図２参照。）が収容されている。さらにハウジング２には、モータ４をオン状態とオフ状態とに切り替え可能なスイッチ５が設けられている。加えてハウジング２の後端部には、バッテリー装着部６（図３参照。）が設けられている。バッテリー装着部６には、スイッチ５のオン状態でモータ４へ給電するバッテリーパック７が着脱可能に装着される。なお、往復動式電動工具１は本発明の電動工具の一例である。
【００１２】
図２に示すように、ハウジング２内でモータ４の回転軸８の前方には、カップリング部材９を介して軸部材１０が連結されている。この軸部材１０は、ハウジング２内に軸受１２、１３を介して回転可能な状態で支持されている。軸部材１０における軸方向の略中央部分には偏心軸部１５が形成されている。この偏心軸部１５には、外輪が円弧状のベアリング１６が外装状態で組み付けられている。
【００１３】
また図２に示すように、ハウジング２の前端部では、スピンドル１７が軸受１８、１９を介してハウジング２内に支持されており、スピンドル１７の先端はハウジング２の下方へ突出している。スピンドル１７の先端には、切断用工具や研磨用工具等のように形状や用途が異なる各種の先端工具がボルト２０（図２参照。）でそれぞれ固定可能とされている。なお、スピンドル１７は本発明の出力軸の一例である。
【００１４】
さらに図２に示すように、ハウジング２内で軸部材１０とスピンドル１７との間にリンク部材２１が支持されている。リンク部材２１は、図示しない一対の係合部と、腕部２３とを備えている。一対の係合部は、軸部材１０の外側において互いに平行な状態で配置されている。係合部同士に挟まれた空間には、ベアリング１６が配置されている。腕部２３は、リンク部材２１の本体からスピンドル１７側へ突設されて、腕部２３には、スピンドル位置決め孔２４が形成されている。スピンドル位置決め孔２４にはスピンドル１７が圧入されている。
【００１５】
加えて図２に示すようにハウジング２の前方上側には、ハウジング２の前方側へ斜め下方に傾斜させて下向きに開口する収容凹部２５が形成されている。この収容凹部２５は、ハウジング２の前後方向でハウジング２の前端面２６よりも後方側に配置されている。ＬＥＤ２７は、発光部を前方斜め下向き状態で収容凹部２５に収められることで、前記前後方向で前記前端面２６よりも後方側に配置される。ＬＥＤ２７は、図示しないリード線によってバッテリーパック７と電気的に接続されて、ＬＥＤ２７への通電と非通電とを制御するスイッチを操作することで発光可能となっている。なお、ＬＥＤ２７は本発明の照明体の一例である。
【００１６】
次に往復動式電動工具１を用い、一例として暗所で床面に立設された柱材を切断する動作を説明する。ユーザは握り部３を握りながらスイッチ５をオン状態にすることでモータ４を駆動させる。これに加えて、ユーザがＬＥＤ２７への通電を制御するスイッチをオン状態にしてＬＥＤ２７を発光させる。モータ４の回転軸８が回転すると、偏心軸部１５に組み付けられたベアリング１６が、軸部材１０を中心として偏心回転する。偏心回転時には、ベアリング１６がリンク部材２１の係合部に対して左右方向にのみ当接する動きを繰り返すことで、リンク部材２１は、図３中の矢印で示すように往復動式電動工具１の正面視で左右に往復動する。これに伴って、スピンドル１７及びスピンドル１７に固定した切断用工具が、スピンドル１７の軸線の回りで左右に往復動する。スピンドル１７を床面と直交する状態に保ちつつ往復動する切断用工具を柱材に押し当てることで柱材を切断する。柱材の切断時には、ＬＥＤ２７が放つ光が収容凹部２５の開口を通ってハウジング２の前方上側から前方斜め下向きに照射されることで、スピンドル１７から前方へ突出状態の切断用工具に光が照射されている。したがって、暗所においてもＬＥＤ２７が放つ光で切断用工具を目視で確認しながら柱材を切断できる。
【００１７】
これに加えてＬＥＤ２７は、ハウジング２の前後方向で前端面２６よりも後方側に配置されるため、柱材の切断時には切断用工具を、柱材に対して切り込み限界長さまで使用できる。よって、ハウジング２にＬＥＤ２７を配置しても切断用工具で柱材を切断する作業に支障が生じない。
【００１８】
＜実施形態１の効果＞
本実施形態の往復動式電動工具１では、ＬＥＤ２７によって、スピンドル１７の先端に固定した切断用工具に対して光を照射することが可能になる。その結果、暗所においてもＬＥＤ２７で照らされた切断用工具を視認でき、往復動式電動工具１による柱材の切断時の作業性が向上する。
【００１９】
また柱材を切断する場合に、切断用工具を、柱材に対して切り込み限界長さまで使用できる。よって、ＬＥＤ２７は切断用工具による柱材の切断作業の支障にならない。
【００２０】
＜実施形態２＞
本発明の実施形態２を図４ないし図７を参照しつつ説明する。ここでは実施形態１と同一の構成は同一の符号を付しその説明を省略する。図４ないし図６に示す往復動式電動工具１Ａではハウジング２の前方上側に、手動で上下方向に回転操作可能な回転操作部３０（図６参照。）が設けられている。この回転操作部３０は、上下方向へ回転可能な側面視扇形状の板状部材で、外表面に操作用突起３４（図４及び図６参照。）が複数形成されている。さらにハウジング２の前方上側には、ＬＥＤが配置されたＬＥＤユニット３１の収容凹部３６（図５参照。）が、前方側を開口させた状態で形成されている。この収容凹凸３６には、ＬＥＤユニット３１がＬＥＤの発光部を開口に向けた状態で収容されている。図７に示すようにＬＥＤユニット３１には、往復動式電動工具１Ａの左右方向（図７の左右方向）に延びる軸部材３７が組み付けられて、この軸部材３７に、回転操作部３０に設けられた取付部３５が嵌着されている。
【００２１】
次に往復動式電動工具１Ａの動作を説明する。この往復動式電動工具１Ａにより暗所で床面に立設された柱材を切断する場合には、ユーザが操作用突起３４に触れながら回転操作部３０を上下方向へ回転操作することで、軸部材３７を回転中心としてＬＥＤユニット３１に配置されたＬＥＤを、上下方向の任意の位置へ移動させることができる。したがって、スピンドル１７に種類の異なる先端工具をそれぞれ固定することでスピンドル１７からの先端工具の突出長が異なる場合でも、回転操作部３０の回転操作で、ＬＥＤが放つ光を先端工具に照射可能となる。よって、暗所においてもＬＥＤが放つ光で先端工具を目視で確認しながら柱材を切断できる。
【００２２】
＜実施形態２の効果＞
本実施形態の往復動式電動工具１Ａでは、回転操作部３０でＬＥＤユニット３１に配置されたＬＥＤを、上下方向の任意の位置に移動させることが可能になる。これに伴って、ＬＥＤで任意の方向に光を照射できる。
【００２３】
本発明は、上述した実施形態に限定されるものではなく、発明の趣旨を逸脱しない範囲内において構成の一部を適宜変更して実施できる。例えば上述した実施形態とは異なり、ＬＥＤに代えて電球を用いてよい。また、上述した実施形態では本発明を充電式の往復動式電動工具１、１Ａに適当する例を示したが、これに限らず、本発明を交流駆動式の往復動式電動工具、充電式や交流駆動式のアングル電動工具にそれぞれ適用してもよい。
【符号の説明】
【００２４】
１、１Ａ・・往復動式電動工具、２・・ハウジング、４・・モータ、１７・・スピンドル、２６・・ハウジングの前端面、２７・・ＬＥＤ、３０・・回転操作部。
【図１】
2013059820.tif 000003
【図２】
2013059820.tif 000004
【図３】
2013059820.tif 000005
【図４】
2013059820.tif 000006
【図５】
2013059820.tif 000007
【図６】
2013059820.tif 000008
【図７】
2013059820.tif 000009